(57)【特許請求の範囲】
【請求項１】
後板と、周壁と、配線器具を保持する取り付け枠がネジ止めすることによって取り付けられる第１取り付け部、第２取り付け部とを有し、施工面に前記配線器具を増設するために、前記施工面上に露出した状態で固定される露出増設ボックスと、
第１カーソケットと、
第２カーソケットとを備え、
前記周壁を構成する上壁、下壁、右壁、左壁のうち、前記上壁や前記下壁よりも長い前記右壁と前記左壁のいずれか一方であって、前記上壁から前記下壁への上下方向に、第１追加穴と第２追加穴が設けられ、
前記第１カーソケットは、前記第１追加穴を介して電気製品のカープラグが挿入可能な状態で、前記露出増設ボックスに取り付けられ、
前記第２カーソケットは、前記第２追加穴を介して電気製品のカープラグが挿入可能な状態で、前記露出増設ボックスに取り付けられ、
前記第１取り付け部には、前記第１カーソケットの陽極端子から配線された第１陽極用ケーブルに接続された第１陽極用リング又はクワ型ターミナル、及び前記第２カーソケットの陽極端子から配線された第２陽極用ケーブルに接続された第２陽極用リング又はクワ型ターミナルが、ネジ止めされ、
前記第２取り付け部には、前記第１カーソケットの陰極端子から配線された第１陰極用ケーブルに接続された第１陰極用リング又はクワ型ターミナル、及び前記第２カーソケットの陰極端子から配線された第２陰極用ケーブルに接続された第２陰極用リング又はクワ型ターミナルが、ネジ止めされることを特徴とする分配装置。
【請求項２】
前記第１取り付け部におけるネジ止めは背面側から行われ、前記第１取り付け部におけるネジ穴の前面側は第１穴埋め部材によってシールされ、
前記第２取り付け部におけるネジ止めは背面側から行われ、前記第２取り付け部におけるネジ穴の前面側は第２穴埋め部材によってシールされることを特徴とする請求項１に記載の分配装置。
【請求項３】
前記第１取り付け部には、前記第１陽極用リング又はクワ型ターミナルと前記第２陽極用リング又はクワ型ターミナルと共に、バッテリーの陽極端子から配線された第１バッテリーケーブルまたは前記第１バッテリーケーブルに接続された第１バッテリーケーブル用ターミナルが、ネジ止めされ、
前記第２取り付け部には、前記第１陰極用リング又はクワ型ターミナルと前記第２陰極用リング又はクワ型ターミナルと共に、前記バッテリーの陰極端子から配線された第２バッテリーケーブルまたは前記第２バッテリーケーブルに接続された第２バッテリーケーブル用ターミナルが、ネジ止めされることを特徴とする請求項１に記載の分配装置。
【請求項４】
前記露出増設ボックスの前面に取り付けられる化粧パネルを更に備え、
前記化粧パネルの前面には、照明装置が設けられ、
前記照明装置に電力を供給するために使用される第１照明部用ケーブルまたは前記第１照明部用ケーブルに接続された第１照明部用ターミナルが、前記第１バッテリーケーブル用ターミナルと共に、ネジ止めされ、
前記照明装置に電力を供給するために使用される第２照明部用ケーブルまたは前記第２照明部用ケーブルに接続された第２照明部用ターミナルが、前記第２バッテリーケーブル用ターミナルと共に、ネジ止めされることを特徴とする請求項３に記載の分配装置。
【請求項５】
前記後板は、前記施工面に固定するために使用される固定用穴を有し、さらに、前記周壁における前記第１追加穴と前記第２追加穴が設けられた側であって、前面側から見て前記第１カーソケットや前記第２カーソケットと重ならない位置に第３追加穴が設けられ、
前記分配装置の取り付け台への取り付けは、前記固定用穴のうち、前面側から見て前記第１カーソケットや前記第２カーソケットと重ならない位置のもの、及び前記第３追加穴を介してネジ止めされることを特徴とする請求項１に記載の分配装置。
【請求項６】
後板と、周壁と、配線器具を保持する取り付け枠がネジ止めすることによって取り付けられる第１取り付け部、第２取り付け部とを有し、施工面に前記配線器具を増設するために、前記施工面上に露出した状態で固定される露出増設ボックスと、
第１カーソケットと、
第２カーソケットとを備え、
前記周壁を構成する上壁、下壁、右壁、左壁のうち、前記上壁や前記下壁よりも長い前記右壁と前記左壁のいずれか一方であって、前記上壁から前記下壁への上下方向に、第１追加穴と第２追加穴が設けられ、
前記第１カーソケットは、前記第１追加穴を介して電気製品のカープラグが挿入可能な状態で、前記露出増設ボックスに取り付けられ、
前記第２カーソケットは、前記第２追加穴を介して電気製品のカープラグが挿入可能な状態で、前記露出増設ボックスに取り付けられ、
前記第１取り付け部には、前記第１カーソケットの陽極端子から配線された第１陽極用ケーブルまたは前記第１陽極用ケーブルに接続された第１陽極用ターミナル、及び前記第２カーソケットの陽極端子から配線された第２陽極用ケーブルまたは前記第２陽極用ケーブルに接続された第２陽極用ターミナルが、ネジ止めされ、
前記第２取り付け部には、前記第１カーソケットの陰極端子から配線された第１陰極用ケーブルまたは前記第１陰極用ケーブルに接続された第１陰極用ターミナル、及び前記第２カーソケットの陰極端子から配線された第２陰極用ケーブルまたは前記第２陰極用ケーブルに接続された第２陰極用ターミナルが、ネジ止めされることを特徴とする分配装置。
【発明の詳細な説明】
【技術分野】
【０００１】
本発明は、複数の電気製品に電力を分配する分配装置に関し、特に露出増設ボックスなど既存の筐体を利用した分配装置に関する。
【背景技術】
【０００２】
太陽電池などの発電装置またはバッテリーからの電力を分配する分配装置が提案されており、特許文献１は、カーソケット（シガーソケット）を介してバッテリーから供給された電力を複数のカーソケットに分配する分配装置（車載用電源装置を開示する。
【先行技術文献】
【特許文献】
【０００３】
【特許文献１】実用新案登録番号第３１０３４００号公報
【発明の概要】
【発明が解決しようとする課題】
【０００４】
しかし、カーソケットなどを保持する筐体を分配装置のために用意する必要がある。また、カープラグやカーソケットを利用せず、バッテリーと分配装置とをケーブルで接続する場合には、ケーブルやターミナルの接続を確実に行う必要があるが、特許文献１は、車両側に取り付けられたカーソケットに、カープラグを差し込んで、バッテリーからの電力供給を受ける形態であり、バッテリーと分配装置とをケーブルで接続する形態は考慮されていない。
【０００５】
したがって本発明の目的は、既存の筐体を活用し、バッテリーとケーブルで接続する分配装置を提供することである。
【課題を解決するための手段】
【０００６】
本発明に係る分配装置は、後板と、周壁と、配線器具を保持する取り付け枠がネジ止めすることによって取り付けられる第１取り付け部、第２取り付け部とを有し、施工面に配線器具を増設するために、施工面上に露出した状態で固定される露出増設ボックスと、第１カーソケットと、第２カーソケットとを備え、周壁を構成する上壁、下壁、右壁、左壁のうち、上壁や下壁よりも長い右壁と左壁のいずれか一方であって、上壁から下壁への上下方向に、第１追加穴と第２追加穴が設けられ、第１カーソケットは、第１追加穴を介して電気製品のカープラグが挿入可能な状態で、露出増設ボックスに取り付けられ、第２カーソケットは、第２追加穴を介して電気製品のカープラグが挿入可能な状態で、露出増設ボックスに取り付けられ、第１取り付け部には、第１カーソケットの陽極端子から配線された第１陽極用ケーブルに接続された第１陽極用リング又はクワ型ターミナル、及び第２カーソケットの陽極端子から配線された第２陽極用ケーブルに接続された第２陽極用リング又はクワ型ターミナルが、ネジ止めされ、第２取り付け部には、第１カーソケットの陰極端子から配線された第１陰極用ケーブルに接続された第１陰極用リング又はクワ型ターミナル、及び第２カーソケットの陰極端子から配線された第２陰極用ケーブルに接続された第２陰極用リング又はクワ型ターミナルが、ネジ止めされる。
【０００７】
既存の筐体（汎用の露出増設ボックス）に、２つの穴（第１追加穴、第２追加穴）を設け、汎用のカーソケットを取り付け、取り付け枠のネジ止め部分を使って、電気的な接続を行うことにより、分配装置を構成することが可能になる。また、当該取り付け枠のネジ止め部分（第１取り付け部、第２取り付け部）に、バッテリーからのケーブル（またはターミナル）をネジ止めすることにより、確実にバッテリーと分配装置とをケーブルで接続することが可能になる。
【０００８】
また、分配装置の筐体として露出増設ボックスを使うため、通常の露出増設ボックスを施工面に取り付けるように、容易に取り付け台に分配装置を取り付けることが可能になる。
【０００９】
第１取り付け部、第２取り付け部へのネジ止めを、リングターミナル（又はクワ型ターミナル）を介して行うため、経年変化などでネジ止めが緩くなったとしても、リングターミナル（又はクワ型ターミナル）とネジとが接触している限り、電気的な接続状態を維持出来るため、接触不良が起きにくいメリットがある。
【００１０】
好ましくは、第１取り付け部におけるネジ止めは背面側から行われ、第１取り付け部におけるネジ穴の前面側は第１穴埋め部材によってシールされ、第２取り付け部におけるネジ止めは背面側から行われ、第２取り付け部におけるネジ穴の前面側は第２穴埋め部材によってシールされる。
【００１１】
背面側からネジ止めし、前面をシールすることにより、分配装置を取り付け台に取り付ける際などに、前面側から取り付け部のリングターミナル（又はクワ型ターミナル）やネジと電気的な接触を防止出来る。なお、背面側は、取り付け台に取り付けられるため、使用者による電気的な接触は起こりにくい。
【００１２】
また、好ましくは、第１取り付け部には、第１陽極用リング又はクワ型ターミナルと第２陽極用リング又はクワ型ターミナルと共に、バッテリーの陽極端子から配線された第１バッテリーケーブルまたは第１バッテリーケーブルに接続された第１バッテリーケーブル用ターミナルが、ネジ止めされ、第２取り付け部には、第１陰極用リング又はクワ型ターミナルと第２陰極用リング又はクワ型ターミナルと共に、バッテリーの陰極端子から配線された第２バッテリーケーブルまたは第２バッテリーケーブルに接続された第２バッテリーケーブル用ターミナルが、ネジ止めされる。
【００１３】
さらに好ましくは、露出増設ボックスの前面に取り付けられる化粧パネルを更に備え、化粧パネルの前面には、照明装置が設けられ、照明装置に電力を供給するために使用される第１照明部用ケーブルまたは第１照明部用ケーブルに接続された第１照明部用ターミナルが、第１バッテリーケーブル用ターミナルと共に、ネジ止めされ、照明装置に電力を供給するために使用される第２照明部用ケーブルまたは第２照明部用ケーブルに接続された第２照明部用ターミナルが、第２バッテリーケーブル用ターミナルと共に、ネジ止めされる。
【００１４】
照明部の点灯状態により、バッテリー（またはバッテリーに接続された発電装置）からの電力供給の有無を確認することが可能になる。
【００１５】
また、好ましくは、後板は、施工面に固定するために使用される固定用穴を有し、さらに、周壁における第１追加穴と第２追加穴が設けられた側であって、側から見て第１カーソケットや第２カーソケットと重ならない位置に第３追加穴が設けられ、分配装置の取り付け台への取り付けは、固定用穴のうち、前面側から見て第１カーソケットや第２カーソケットと重ならない位置のもの、及び第３追加穴を介してネジ止めされる。
【００１６】
露出増設ボックスの後板には、施工面への取り付け時のネジ止めに使用する固定用穴が幾つか設けられているが、第１カーソケットなどと重なってネジ止めに使用出来ない固定用穴があるため、かかる第３追加穴と、使用可能な固定用穴を使って、分配装置の取り付け台へのネジ止めが行われる。
【００１７】
本発明に係る分配装置は、後板と、周壁と、配線器具を保持する取り付け枠がネジ止めすることによって取り付けられる第１取り付け部、第２取り付け部とを有し、施工面に配線器具を増設するために、施工面上に露出した状態で固定される露出増設ボックスと、第１カーソケットと、第２カーソケットとを備え、周壁を構成する上壁、下壁、右壁、左壁のうち、上壁や下壁よりも長い右壁と左壁のいずれか一方であって、上壁から下壁への上下方向に、第１追加穴と第２追加穴が設けられ、第１カーソケットは、第１追加穴を介して電気製品のカープラグが挿入可能な状態で、露出増設ボックスに取り付けられ、第２カーソケットは、第２追加穴を介して電気製品のカープラグが挿入可能な状態で、露出増設ボックスに取り付けられ、第１取り付け部には、第１カーソケットの陽極端子から配線された第１陽極用ケーブルまたは第１陽極用ケーブルに接続された第１陽極用ターミナル、及び第２カーソケットの陽極端子から配線された第２陽極用ケーブルまたは第２陽極用ケーブルに接続された第２陽極用ターミナルが、ネジ止めされ、第２取り付け部には、第１カーソケットの陰極端子から配線された第１陰極用ケーブルまたは第１陰極用ケーブルに接続された第１陰極用ターミナル、及び第２カーソケットの陰極端子から配線された第２陰極用ケーブルまたは第２陰極用ケーブルに接続された第２陰極用ターミナルが、ネジ止めされる。
【００１８】
既存の筐体（汎用の露出増設ボックス）に、２つの穴（第１追加穴、第２追加穴）を設け、汎用のカーソケットを取り付け、取り付け枠のネジ止め部分を使って、電気的な接続を行うことにより、分配装置を構成することが可能になる。また、当該取り付け枠のネジ止め部分（第１取り付け部、第２取り付け部）に、バッテリーからのケーブル（またはターミナル）もネジ止めすることにより、確実にバッテリーと分配装置とをケーブルで接続することが可能になる。
【００１９】
また、分配装置の筐体として露出増設ボックスを使うため、通常の露出増設ボックスを施工面に取り付けるように、容易に取り付け台に分配装置を取り付けることが可能になる。
【発明の効果】
【００２０】
以上のように本発明によれば、既存の筐体を活用し、バッテリーとケーブルで接続する分配装置を提供することができる。
【図面の簡単な説明】
【００２１】
【図１】本実施形態における分配装置、及びその周辺機器の構成図である。
【図２】第１カーソケットなどが取り付けられる前の露出増設ボックスを前面から見た図である。
【図３】第１カーソケットなどが取り付けられる前の露出増設ボックスを背面から見た図である。
【図４】第１カーソケットなどが取り付けられる前の露出増設ボックスを右側面から見た図である。
【図５】第１カーソケットなどが取り付けられた後の露出増設ボックスを前面から見た図である。
【図６】第１カーソケットなどが取り付けられた後の露出増設ボックスを背面から見た図である。
【図７】第１カーソケットなどが取り付けられた後の露出増設ボックスを右側面から見た図である。
【発明を実施するための形態】
【００２２】
以下、本発明にかかる実施形態について、図を用いて説明する。本実施形態における分配装置１は、壁などの取り付け台３１０にネジ止めされ、太陽電池などの発電装置１１０で発電された電力（またはバッテリー１２０に蓄積された電力）を、分配し、複数（ここでは２つ）の直流駆動の電気製品（オーディオや照明器具など）に供給する（図１参照）。
【００２３】
分配装置１と電気製品２１０との電気的な接続は、分配装置１に設けられた第１カーソケット（シガーソケット）２０と、電気製品２１０に接続されたカープラグ２１１とを介して行われる。分配装置１と電気製品２２０との電気的な接続は、分配装置１に設けられた第２カーソケット（シガーソケット）４０と、電気製品２２０に接続されたカープラグ２２１とを介して行われる。
【００２４】
分配装置１は、既設の建物において壁面等の施工面に配線器具を増設するために、施工面上に露出した状態で固定される露出増設ボックスに、第１カーソケット２０などを取り付けたもので、後板２と周壁３を含む露出増設ボックス、化粧プレート４、第１カーソケット２０、第１メスギボシ３１、第１陽極用ケーブル３２、第１陽極用リングターミナル（又はクワ型ターミナル）３３、第１メス端子３４、第１陰極用ケーブル３５、第１陰極用リングターミナル（又はクワ型ターミナル）３６、第１嵩上げリング３９、第２カーソケット４０、第２メスギボシ５１、第２陽極用ケーブル５２、第２陽極用リングターミナル（又はクワ型ターミナル）５３、第２メス端子５４、第２陰極用ケーブル５５、第２陰極用リングターミナル（又はクワ型ターミナル）５６、第２嵩上げリング５９、照明部７０、第１照明部用ケーブル７１、第２照明部用ケーブル７２を備える。以下、露出増設ボックスに第１カーソケット２０などを取り付ける前の状態（図２〜図４）と、第１カーソケット２０などを取り付けた後の状態（図５〜図７）に分けて説明する。
【００２５】
分配装置１の露出増設ボックス部分は、略矩形状の後板２の周縁から周壁３（上壁３Ｕ、下壁３Ｄ、右壁３Ｒ、左壁３Ｌ）が突設されて前面が開口した箱状に形成されている。露出増設ボックスの前面には、ＬＥＤなどの照明部７０を含む化粧プレート４が取り付けられる。
【００２６】
周壁３の前面側の四隅には第１プレート受け部９ＵＲ、第２プレート受け部９ＵＬ、第３プレート受け部９ＤＲ、第４プレート受け部９ＤＬが設けられる。各プレート受け部の前面には、化粧プレート４の係合爪（不図示）と係合する係合穴（不図示）が設けられる。
【００２７】
周壁３の上壁３Ｕの前端において左右方向の中間部からは、第１取り付け部１０Ｕが露出増設ボックスの開口面に沿って下方に延設される。第１取り付け部１０Ｕの下側は、前後方向に一定の高さを有する円柱形状を有しており、当該円柱の内周には第１穴１２Ｕが設けられ、後述する第１取り付けネジＳ１が螺合するためのネジ切りが施されるか、ナットが内蔵される。
【００２８】
周壁３の下壁３Ｄの前端において左右方向の中間部からは、第２取り付け部１０Ｄが露出増設ボックスの開口面に沿って上方に延設される。第２取り付け部１０Ｄの上側は、前後方向に一定の高さを有する円柱形状を有しており、当該円柱の内周には第２穴１２Ｄが設けられ、後述する第２取り付けネジＳ２が螺合するためのネジ切りが施されるか、ナットが内蔵される。
【００２９】
通常の露出増設ボックスでは、第１穴１２Ｕ、第２穴１２Ｄは、周壁３に囲まれた位置に配線器具を保持する取り付け枠を、第１取り付けネジＳ１、第２取り付けネジＳ２を使って前面側からネジ止めするために使用される。配線器具は、スイッチにおける操作部や、コンセントにおける栓刃挿入口などが挙げられる。但し、本実施形態では、かかる取り付け枠のネジ止めは行われない。
【００３０】
第１取り付けネジＳ１は、後述する第１陽極用リングターミナル３３、第２陽極用リングターミナル５３、第１照明部用ケーブル７１（又は第１照明部用ケーブル７１に圧着で接続された第１照明部用ターミナル（不図示））、及び第１バッテリーケーブル１２１（又は第１バッテリーケーブル１２１に圧着で接続された第１バッテリーケーブル用ターミナル（不図示））を背面側から第１取り付け部１０Ｕの第１穴１２Ｕにネジ止めするために使用される。
【００３１】
第２取り付けネジＳ２は、後述する第１陰極用リングターミナル３６、第２陰極用リングターミナル５６、第２照明部用ケーブル７２（又は第２照明部用ケーブル７２に圧着で接続された第２照明部用ターミナル（不図示））、及び第２バッテリーケーブル１２２（又は第２バッテリーケーブル１２２に圧着で接続された第２バッテリーケーブル用ターミナル（不図示））を背面側から第２取り付け部１０Ｄの第２穴１２Ｄにネジ止めするために使用される。
【００３２】
後板２には、壁面などの施工面に露出増設ボックスをネジ止めするために使用される第１固定用穴１１ａ、第２固定用穴１１ｂ、第３固定用穴１１ｃ、第４固定用穴１１ｄ、第５固定用穴１１ｅ、第６固定用穴１１ｆが、横に３つずつ、上下２列に設けられる。但し、本実施形態では、第２固定用穴１１ｂ、第３固定用穴１１ｃ、第５固定用穴１１ｅ、第６固定用穴１１ｆは、後述する第１カーソケット２０などと前後方向で重なるため、ネジ止め用には使用されない。
【００３３】
本実施形態では、上述のような露出増設ボックスの右壁３Ｒに、上下方向（上壁３Ｕから下壁３Ｄへの方向）に第１追加穴６１、第２追加穴６２が設けられる。第１追加穴６１の直径は、第１カーソケット２０の第１本体部２１の外径と略同じであり、第１カーソケット２０の第１本体部２１の先端部（開口側）が、第１追加穴６１を介して電気製品２１０のカープラグ２１１が挿入可能な状態で、取り付けられる。第２追加穴６２の直径は、第２カーソケット４０の第２本体部４１の外径と略同じであり、第２カーソケット４０の第２本体部４１の先端部（開口側）が、第２追加穴６２を介して電気製品２２０のカープラグ２２１が挿入可能な状態で、取り付けられる。なお、第１追加穴６１、第２追加穴６２が設けられ、第１カーソケット２０や第２カーソケット４０が取り付けられるのは、右壁でなく、左壁であってもよい。
【００３４】
また、上述のような露出増設ボックスの後板２に、上下方向の中心であって前面から見て右寄りに（周壁３における第１追加穴６１と第２追加穴６２が設けられた側であって、前面側から見て第１カーソケット２０や第２カーソケット４０と重ならない位置に）、第３追加穴６３が設けられる。第３追加穴６３は、第３ネジ（不図示）を使って、分配装置１を取り付け台３１０にネジ止めするために使用される。従って、本実施形態では、分配装置１は、第１固定用穴１１ａ、第４固定用穴１１ｄ、及び第３追加穴６３を介して、取り付け台３１０にネジ止めされる。
【００３５】
露出増設ボックスの後板２には、施工面への取り付け時のネジ止めに使用する固定用穴（第１〜第６固定用穴１１ａ〜１１ｆ）が幾つか設けられているが、第１カーソケット２０などと重なってネジ止めに使用出来ない固定用穴があるため、かかる第３追加穴６３と、使用可能な固定用穴（第１固定用穴１１ａ、第４固定用穴１１ｄ）を使って、分配装置１の取り付け台３１０へのネジ止めが行われる。
【００３６】
通常の露出増設ボックスには、第１〜第３追加穴６１〜６３は設けられていないため、本実施形態の分配装置１を形成するために、第１〜第３追加穴６１〜６３が新たに設けられる。
【００３７】
次に、第１カーソケット２０、第２カーソケット４０の構成について説明する。第１カーソケット２０は、第１本体部２１、第１ネジ切り部２２、第１陽極端子２３、第１陰極端子２４を有する汎用のカーソケット（シガーソケット）であり、第２カーソケット４０は、第２本体部４１、第２ネジ切り部４２、第２陽極端子４３、第２陰極端子４４を有する汎用のカーソケット（シガーソケット）である。
【００３８】
第１本体部２１や第２本体部４１は、円筒形状を有し、開口部側からカープラグ（シガープラグ）が挿入される。
【００３９】
第１本体部２１の底部には、第１ネジ切り部２２が設けられる。第１ネジ切り部２２は、通常、第１カーソケット２０を車両本体に取り付けるために使用されるが、本実施形態では、取り付けには使用されない。第１ネジ切り部２２からは、第１陽極端子２３が突設される。第１本体部２１の外周面には、第１陰極端子２４が設けられる。
【００４０】
第２本体部４１の底部には、第２ネジ切り部４２が設けられる。第２ネジ切り部４２は、通常、第２カーソケット４０を車両本体に取り付けるために使用されるが、本実施形態では、取り付けには使用されない。第２ネジ切り部４２からは、第２陽極端子４３が突設される。第２本体部４１の外周面には、第２陰極端子４４が設けられる。
【００４１】
次に、第１カーソケット２０、第２カーソケット４０の露出増設ボックスへの取り付けについて説明する。
【００４２】
第１陽極用ケーブル３２は、一方が第１メスギボシ３１と圧着で接続し、他方が第１陽極用リングターミナル３３に圧着で接続する。第１メスギボシ３１は、第１陽極端子２３に挿入（接続）される。第２陽極用ケーブル５２は、一方が第２メスギボシ５１と圧着で接続し、他方が第２陽極用リングターミナル５３に圧着で接続する。第２メスギボシ５１は、第２陽極端子４３に挿入（接続）される。第１メスギボシ３１や第２メスギボシ５１の周囲は絶縁用にギボシカバーが被せられる。
【００４３】
第１陽極用リングターミナル３３、第２陽極用リングターミナル５３は、第１照明部用ケーブル７１（又は第１照明部用ケーブル７１に圧着で接続された第１照明部用ターミナル（不図示））、及び第１バッテリーケーブル１２１（又は第１バッテリーケーブル１２１に圧着で接続された第１バッテリーケーブル用ターミナル（不図示））と共に、第１取り付けネジＳ１を使って、第１取り付け部１０Ｕの第１穴１２Ｕにネジ止めされる。第１取り付け部１０Ｕの第１穴１２Ｕの前面側は、パテなどの第１穴埋め材８１を使って、シールされ、前面側から第１取り付けネジＳ１と電気的な接触が出来ないようにされる。
【００４４】
第１陰極用ケーブル３５は、一方が第１メス端子３４、他方が第１陰極用リングターミナル３６に圧着で接続する。第１メス端子３４は、第１陰極端子２４に挿入（接続）される。第２陰極用ケーブル５５は、一方が第２メス端子５４、他方が第２陰極用リングターミナル５６に圧着で接続する。第２メス端子５４は、第２陰極端子４４に挿入（接続）される。第１メス端子３４や第２メス端子５４の周囲は絶縁用に端子カバーが被せられる。
【００４５】
第１陰極用リングターミナル３６、第２陰極用リングターミナル５６は、第２照明部用ケーブル７２（又は第２照明部用ケーブル７２に圧着で接続された第２照明部用ターミナル（不図示））、及び第２バッテリーケーブル１２２（又は第２バッテリーケーブル１２２に圧着で接続された第２バッテリーケーブル用ターミナル（不図示））と共に、第２取り付けネジＳ２を使って、第２取り付け部１０Ｄの第２穴１２Ｄにネジ止めされる。第２取り付け部１０Ｄの第２穴１２Ｄの前面側は、パテなどの第２穴埋め部材８２を使って、シールされ、前面側から第２取り付けネジＳ２と電気的な接触が出来ないようにされる。
【００４６】
第１メスギボシ３１などが接続された状態で、第１カーソケット２０は、第１追加穴６１を介して、右壁３Ｒに取り付けされる。周壁３の右壁３Ｒと左壁３Ｌの間に、第１本体部２１、第１ネジ切り部２２、第１陽極端子２３、及び第１メスギボシ３１が収まりきらない場合には、図５のように、第１本体部２１を右壁３Ｒから突出させたり、第１メスギボシ３１を折り曲げたりする。第１本体部２１を右壁３Ｒから突出させた場合には、突出した部分の一部を隠すために、第１嵩上げリング３９が取り付けられる。
【００４７】
第２メスギボシ５１などが接続された状態で、第２カーソケット４０は、第２追加穴６２を介して、右壁３Ｒに取り付けられる。周壁３の右壁３Ｒと左壁３Ｌの間に、第２本体部４１、第２ネジ切り部４２、第２陽極端子４３、及び第２メスギボシ５１が収まりきらない場合には、図５のように、第２本体部４１を右壁３Ｒから突出させたり、第２メスギボシ５１を折り曲げたりする。第２本体部４１を右壁３Ｒから突出させた場合には、突出した部分の一部を隠すために、第２嵩上げリング５９が取り付けられる。
【００４８】
右壁３Ｒから突出した部分を除く第１カーソケット２０、第１メスギボシ３１、第１陽極用ケーブル３２、第１陽極用リングターミナル３３、第１メス端子３４、第１陰極用ケーブル３５、第１陰極用リングターミナル３６、右壁３Ｒから突出した部分を除く第２カーソケット４０、第２メスギボシ５１、第２陽極用ケーブル５２、第２陽極用リングターミナル５３、第２メス端子５４、第２陰極用ケーブル５５、第２陰極用リングターミナル５６は、後板２よりも前面側であって、周壁３の内側に収納される。
【００４９】
第１照明部用ケーブル７１、第２照明部用ケーブル７２は、照明部７０に電力を供給するためのケーブルであり、それぞれ、第１取り付け部１０Ｕ、第２取り付け部１０Ｄから前面側に向けて配線され、化粧パネル４に取り付けられた照明部７０に接続する。
【００５０】
第１バッテリーケーブル１２１は、バッテリー１２０の陽極端子と接続され、第２バッテリーケーブル１２２は、バッテリー１２０の陰極端子と接続される。また、第１バッテリーケーブル１２１は、露出増設ボックスの背面側から、後板２と上壁３Ｕの間の空間を通って、第１取り付け部１０Ｕに配線され、第２バッテリーケーブル１２２は、露出増設ボックスの背面側から、後板２と下壁３Ｄの間の空間を通って、第２取り付け部１０Ｄに配線される。
【００５１】
第１カーソケット２０などを露出増設ボックスに取り付けた後、分配装置１は、第１固定用穴１１ａ、第４固定用穴１１ｄ、及び第３追加穴６３を介して、壁などの取り付け台３１０にネジ止めされる。
【００５２】
電気製品２１０が、カープラグ２１１を介して、第１カーソケット２０に挿入された場合には、太陽電池などの発電装置１１０で発電された電力（またはバッテリー１２０に蓄積された電力）が、分配装置１を介して、電気製品２１０に供給される。同様に、電気製品２２０が、カープラグ２２１を介して、第２カーソケット４０に挿入された場合には、太陽電池などの発電装置１１０で発電された電力（またはバッテリー１２０に蓄積された電力）が、分配装置１を介して、電気製品２２０に供給される。照明部７０は、太陽電池などの発電装置１１０で発電された電力（またはバッテリー１２０に蓄積された電力）が分配装置１に供給される間、点灯する。
【００５３】
本実施形態では、既存の筐体（汎用の露出増設ボックス）に、２つの穴（第１追加穴６１、第２追加穴６２）を設け、汎用のカーソケット（第１カーソケット２０、第２カーソケット４０）を取り付け、取り付け枠のネジ止め部分（第１取り付け部１０Ｕ、第２取り付け部１０Ｄ）を使って、電気的な接続を行うことにより、分配装置１を構成することが可能になる。すなわち、汎用の部材（露出増設ボックス、カーソケット、ケーブル、リングターミナルなど）を組み合わせることにより、分配装置１を構成出来る。
【００５４】
また、分配装置１の筐体として露出増設ボックスを使うため、通常の露出増設ボックスを施工面に取り付けるように、容易に取り付け台に分配装置１を取り付けることが可能になる。
【００５５】
また、当該取り付け枠のネジ止め部分（第１取り付け部１０Ｕの第１穴１２Ｕ、第２取り付け部１０Ｄの第２穴１２Ｄ）に、バッテリー１２０からのケーブル（第１バッテリーケーブル１２１、第２バッテリーケーブル１２２）、またはこれらのケーブルに接続されるターミナルをネジ止めすることにより、確実にバッテリーと分配装置とをケーブルで接続することが可能になる。また、比較的太めのケーブルの接続も確実且つ容易に行えるので、多めの電流を分配装置１に接続する電気製品２１０などに流すことも可能になる。
【００５６】
特に、第１取り付け部１０Ｕの第１穴１２Ｕ、第２取り付け部１０Ｄの第２穴１２Ｄへのネジ止めを、リングターミナル（クワ型ターミナルでもよい）を介して行う場合には、経年変化などでネジ止めが緩くなったとしても、リングターミナルとネジとが接触している限り、電気的な接続状態を維持出来るため、接触不良が起きにくいメリットがある。また、ケーブルが太くなった場合でも、リングターミナルを重ねる場合には、ネジ止め部分の厚み増を最小限に抑えることも可能になる。
【００５７】
背面側からネジ止めし、前面をシールすることにより、分配装置１を取り付け台３１０に取り付ける際などに、前面側から取り付け部（第１取り付け部１０Ｕの第１穴１２Ｕ、第２取り付け部１０Ｄの第２穴１２Ｄ）にネジ止めされたリングターミナルやネジと電気的な接触を防止出来る。なお、背面側は、取り付け台に取り付けられるため、使用者による電気的な接触は起こりにくい。
【００５８】
また、照明部７０の点灯状態により、バッテリー１２０（またはバッテリー１２０に接続された発電装置１１０）からの電力供給の有無を確認することが可能になる。
【符号の説明】
【００５９】
１  分配装置
２  後板
３  周壁
３Ｕ、３Ｄ、３Ｒ、３Ｌ  上壁、下壁、右壁、左壁
４  化粧プレート
９ＵＲ、９ＵＬ、９ＤＲ、９ＤＬ  第１〜第４プレート受け部
１０Ｕ、１０Ｄ  第１、第２取り付け部
１１ａ〜１１ｆ  第１〜第６固定用穴
１２Ｕ、１２Ｄ  第１、第２穴
２０、４０  第１、第２カーソケット
２１、４１  第１、第２本体部
２２、４２  第１、第２ネジ切り部
２３、４３  第１、第２陽極端子
２４、４４  第１、第２陰極端子
３１、５１  第１、第２メスギボシ
３２、５２  第１、第２陽極用ケーブル
３３、５３  第１、第２陽極用リングターミナル
３４、５４  第１、第２メス端子
３５、５５  第１、第２陰極用ケーブル
３６、５６  第１、第２陰極用リングターミナル
３９、５９  第１、第２嵩上げリング
６１〜６３  第１〜第３追加穴
７０  照明部
７１、７２  第１、第２照明部用ケーブル
８１、８２  第１、第２穴埋め部材
１２０  バッテリー
１２１、１２２  第１、第２バッテリーケーブル
２１０、２２０  電気製品
２１１、２２１  カープラグ
３１０  取り付け台
【図１】
0005415317.tif 000002
【図２】
0005415317.tif 000003
【図３】
0005415317.tif 000004
【図４】
0005415317.tif 000005
【図５】
0005415317.tif 000006
【図６】
0005415317.tif 000007
【図７】
0005415317.tif 000008